(57)【要約】【課題】本発明は、極めて商品価値の高い画期的なレンチ回動用工具に付設される調整体を提供することを目的とする。【解決手段】握持棒体１の先端部に左右端部が開口するパイプ状部２を設け、このパイプ状部２をレンチ３の端部に被嵌して該レンチ３を回動させるレンチ回動用工具４に付設されるものであって、前記パイプ状部２の一方のレンチ被嵌孔２ａに挿入され前記レンチ３の端部に被嵌する第一レンチ被嵌孔６ａを有する第一筒状体９と、前記パイプ状部２の他方のレンチ被嵌孔２ｂに挿入され前記レンチ３の端部に被嵌する第二レンチ被嵌孔６ｂを有する第二筒状体10とから成るものである。【選択図】図１
2014213438.tif 000002
【特許請求の範囲】
【請求項１】
握持棒体の先端部に左右端部が開口するパイプ状部を設け、このパイプ状部をレンチの端部に被嵌して該レンチを回動させるレンチ回動用工具に付設されるものであって、前記パイプ状部の一方のレンチ被嵌孔に挿入され前記レンチの端部に被嵌する第一レンチ被嵌孔を有する第一筒状体と、前記パイプ状部の他方のレンチ被嵌孔に挿入され前記レンチの端部に被嵌する第二レンチ被嵌孔を有する第二筒状体とから成り、この第一筒状体及び第二筒状体双方を前記レンチ被嵌孔に夫々挿入した状態において、前記第一筒状体及び第二筒状体の外方端部は夫々前記レンチ被嵌孔の開口周縁部に係止し且つ対向する内方端部は連結されるものであることを特徴とするレンチ回動用工具に付設される調整体。
【請求項２】
請求項１記載のレンチ回動用工具に付設されるレン被嵌体において、前記第一筒状体及び前記第二筒状体の外方端部は、前記レンチ被嵌孔の開口周縁部に係止する周鍔部であることを特徴とするレンチ回動用工具に付設される調整体。
【請求項３】
請求項２記載のレンチ回動用工具に付設される調整体において、前記第一筒状体及び前記第二筒状体の内方端部は、一方が他方に被嵌される構造であることを特徴とするレンチ回動用工具に付設される調整体。
【請求項４】
請求項３記載のレンチ回動用工具に付設される調整体において、前記第一筒状体及び前記第二筒状体の少なくとも一方の内方端部にはスリットが設けられ、この内方端部の径が可変可能に構成されていることを特徴とするレンチ回動用工具に付設される調整体。
【請求項５】
請求項１〜４いずれか１項に記載のレンチ回動用工具に付設される調整体において、前記外方端部の周面には滑り止め凹部が設けられていることを特徴とするレンチ回動用工具に付設される調整体。
【発明の詳細な説明】
【技術分野】
【０００１】
本発明は、レンチ回動用工具に付設される調整体に関するものである。
【背景技術】
【０００２】
本出願人は、Ｌ字状のレンチ（短部と長部とを直交状態で連設して成る断面六角形状のレンチ）を回動する為の工具として特開平１０−１０００７２号に開示されるレンチ回動用工具を提案している。
【０００３】
このレンチ回動用工具は、レンチの端部に被嵌してこのレンチを横押し回動し得る被嵌レンチ回動部を握柄部を有する棒状体の先端部に設けたものであり、この被嵌レンチ回動部は棒状体の長さ方向に対して交差した方向に被嵌方向を有する構成となっているから、狭い場所でも六角穴付きボルトを良好に回動することができる。
【先行技術文献】
【特許文献】
【０００４】
【特許文献１】特開平１０−１０００７２号公報
【発明の概要】
【発明が解決しようとする課題】
【０００５】
ところで、レンチの径は、１ｍｍから１０ｍｍまで種々提案されており、レンチ回動用工具における被嵌レンチ回動部のレンチ被嵌孔は最大径（１０ｍｍ）のレンチに被嵌できる径（１１．５ｍｍ）に設定されている。
【０００６】
ところが、このレンチ回動用工具により径小（例えば６ｍｍ）のレンチを回動させる際には、レンチ被嵌孔とレンチとの間に大きな隙間が生じてガタつき、回動作業が良好に行えない。この点、径小のレンチ専用のレンチ回動用工具を別途用意すれば良いが、当然、コスト高となる。
【０００７】
本発明者は、前述した問題点に着目し、種々の実験・研究を行った結果、極めて商品価値の高い画期的なレンチ回動用工具に付設される調整体を開発した。
【課題を解決するための手段】
【０００８】
添付図面を参照して本発明の要旨を説明する。
【０００９】
握持棒体１の先端部に左右端部が開口するパイプ状部２を設け、このパイプ状部２をレンチ３の端部に被嵌して該レンチ３を回動させるレンチ回動用工具４に付設されるものであって、前記パイプ状部２の一方のレンチ被嵌孔２ａに挿入され前記レンチ３の端部に被嵌する第一レンチ被嵌孔６ａを有する第一筒状体９と、前記パイプ状部２の他方のレンチ被嵌孔２ｂに挿入され前記レンチ３の端部に被嵌する第二レンチ被嵌孔６ｂを有する第二筒状体10とから成り、この第一筒状体９及び第二筒状体10双方を前記レンチ被嵌孔２ａ，２ｂに夫々挿入した状態において、前記第一筒状体９及び第二筒状体10の外方端部７，８は夫々前記レンチ被嵌孔２ａ，２ｂの開口周縁部２ａ’，２ｂ’に係止し且つ対向する内方端部11，12は連結されるものであることを特徴とするレンチ回動用工具に付設される調整体に係るものである。
【００１０】
また、請求項１記載のレンチ回動用工具に付設されるレン被嵌体において、前記第一筒状体９及び前記第二筒状体10の外方端部７，８は、前記レンチ被嵌孔２ａ，２ｂの開口周縁部２ａ’，２ｂ’に係止する周鍔部であることを特徴とするレンチ回動用工具に付設される調整体に係るものである。
【００１１】
また、請求項２記載のレンチ回動用工具に付設される調整体において、前記第一筒状体９及び前記第二筒状体10の内方端部11，12は、一方が他方に被嵌される構造であることを特徴とするレンチ回動用工具に付設される調整体に係るものである。
【００１２】
また、請求項３記載のレンチ回動用工具に付設される調整体において、前記第一筒状体９及び前記第二筒状体10の少なくとも一方の内方端部11にはスリット11ａが設けられ、この内方端部11の径が可変可能に構成されていることを特徴とするレンチ回動用工具に付設される調整体に係るものである。
【００１３】
また、請求項１〜４いずれか１項に記載のレンチ回動用工具に付設される調整体において、前記外方端部７，８の周面には滑り止め凹部７ａ，８ａが設けられていることを特徴とするレンチ回動用工具に付設される調整体に係るものである。
【発明の効果】
【００１４】
本発明は上述のように構成したから、径小のレンチ専用のレンチ回動用工具を別途用意しなくても径小のレンチを簡易且つ良好に回動できるなど、極めて商品価値の高い画期的なレンチ回動用工具に付設される調整体となる。
【図面の簡単な説明】
【００１５】
【図１】本実施例の使用状態を説明する斜視図である。
【図２】本実施例を示す説明断面図である。
【図３】本実施例を示す説明断面図である。
【図４】本実施例の使用状態を説明する平面図である。
【図５】本実施例の使用状態を説明する平面図である。
【図６】本実施例の使用状態を説明する平面図である。
【発明を実施するための形態】
【００１６】
好適と考える本発明の実施形態を、図面に基づいて本発明の作用を示して簡単に説明する。
【００１７】
径小のレンチ３の回動作業を行う場合、本発明に係る調整体をレンチ回動用工具４のパイプ状部２に付設する。
【００１８】
具体的には、パイプ状部２の一方のレンチ被嵌孔２ａに第一筒状体９挿入するとともに、パイプ状部２の他方のレンチ被嵌孔２ｂに第二筒状体10を挿入し、互いに対向する内方端部11，12を連結する。この状態において、第一筒状体９及び第二筒状体10の外方端部７，８は夫々レンチ被嵌孔２ａ，２ｂの開口周縁部２ａ’，２ｂ’に係止することになり、よって、本発明に係る調整体はレンチ回動用工具４のパイプ状部２に抜け止め状態で付設されることになる。
【００１９】
この状態で、第一筒状体９の第一レンチ被嵌孔６ａ若しくは第二筒状体10の第二レンチ被嵌孔６ｂをレンチ３の端部に被嵌して回動作業を行う。
【００２０】
この第一筒状体９の第一レンチ被嵌孔６ａ及び第二筒状体10の第二レンチ被嵌孔６ｂはパイプ状部２のレンチ被嵌孔２ａ，２ｂよりも径小であり、よって、本発明に係る調整体をパイプ状部２に付設するだけで、径小のレンチ３であっても該レンチ３との隙間を可及的に低減して良好な回動作業が行えることになる。
【００２１】
また、本発明は、前述した構成から、パイプ状部２に対する確実な付設構造と言える。
【００２２】
即ち、レンチ回動用工具４におけるパイプ状部２は、切削加工によって形成すると、コスト高となるためロストワックス法が採用されるが、その反面、このロストワックス法は切削加工に比して成形精度が悪く、よって、レンチ被嵌孔２ａ，２ｂは真円でなくいびつな形状となり易い。従って、例えばパイプ状部２のレンチ被嵌孔２ａ，２ｂに嵌入（圧入）して付設する構造とした場合、このレンチ被嵌孔２ａ，２ｂの形状と合っていないと簡単に抜け落ちてしまう。
【００２３】
この点、本発明は、第一筒状体９及び第二筒状体10夫々の外方端部７，８はレンチ被嵌孔２ａ，２ｂの開口周縁部２ａ’，２ｂ’夫々に係止し且つ対向する内方端部11，12は連結される構造としており、よって、レンチ被嵌孔２ａ，２ｂの形状に左右されず、パイプ状部２に対して確実に抜け止め状態で付設されることになる。
【実施例】
【００２４】
本発明の具体的な実施例について図面に基づいて説明する。
【００２５】
本実施例は、握持棒体１の先端部に左右端部が開口するパイプ状部２を設け、このパイプ状部２をレンチ３の端部に被嵌して該レンチ３を回動させるレンチ回動用工具４に付設される調整体５である。
【００２６】
尚、本実施例に係るレンチ回動用工具４は、パイプ状部２を直交状態に交差連設したものであり、また、レンチ３は、短部と長部とを直交状態で連設して成る断面六角形状のレンチである。
【００２７】
具体的には、調整体５は、図１，２に図示したように適宜な合成樹脂製の部材で形成した内孔６を有する筒状体であり、パイプ状部２の一方のレンチ被嵌孔２ａに挿入されレンチ３の端部に被嵌する第一レンチ被嵌孔６ａを有する第一筒状体９と、パイプ状部２の他方のレンチ被嵌孔２ｂに挿入されレンチ３の端部に被嵌する第二レンチ被嵌孔６ｂを有する第二筒状体10とで構成されている。
【００２８】
この第一筒状体９の第一レンチ被嵌孔６ａ及び第二筒状体10ａの第二レンチ被嵌孔６ｂ夫々の径は、６ｍｍ径のレンチ３を挿入し得る径（７．１ｍｍ）に設定されている。尚、図３は３ｍｍ径のレンチ３を挿入し得るよう第一レンチ被嵌孔６ａ及び第二レンチ被嵌孔６ｂの径を更に小さな径（３．６ｍｍ）に設定した別タイプである。また、本実施例では、第一レンチ被嵌孔６ａと第二レンチ被嵌孔６ｂの径を同一としたが、異ならせても良い。
【００２９】
第一筒状体９の外方端部７は、パイプ状部２よりも径大となる周鍔部であり、この外方端部７は、第一筒状体９をレンチ被嵌孔２ａに挿入させた状態において、パイプ状部２の開口縁部２ａ’に係止するように構成されている。尚、外方端部７は鍔状に限らず、例えば複数の凸部を放射状に設けたものなど適宜採用し得るものである。
【００３０】
また、外方端部７の周面には複数の滑り止め凹部７ａが設けられている。
【００３１】
従って、この外方端部７の周面を指でつまんで後述する第二筒状体10との連結及び連結解除が滑らず良好に行えることになる。
【００３２】
また、第一筒状体９の内方端部11は外径が径小に設けられ、第二筒状体10の内方端部12ａに嵌入するように構成されている。
【００３３】
また、第一筒状体９の内方端部11には、先端縁に開口するスリット11ａが第一筒状体９の長さ方向に形成されており、該内方端部11の径は可変可能に構成されている。
【００３４】
従って、第二筒状体10の内方端部12に対して第一筒状体９の内方端部11を圧入状態で嵌入する構造とすることで、この内方端部11，12同士は圧接してより堅固な連結となり、逆に、この内方端部11，12同士の連結を解除する際には、第一筒状体９と第二筒状体10を夫々の外方端部７，８を指でつまみ、逆方向（捻れ方向）に回動させながら引き抜くと、このスリット11ａが閉口することで第一筒状体９の内方端部11は全体的に径縮することになり簡易に連結解除することができる。
【００３５】
第二筒状体10の外方端部８は、パイプ状部２よりも径大となる周鍔部であり、この外方端部８は、第二筒状体10をレンチ被嵌孔２ｂに挿入させた状態において、パイプ状部２の開口縁部２ｂ’に係止するように構成されている。尚、外方端部８は鍔状に限らず、例えば複数の凸部を放射状に設けたものなど適宜採用し得るものである。
【００３６】
また、外方端部８の周面には複数の滑り止め凹部８ａが設けられている。
【００３７】
従って、この外方端部８の周面を指でつまんで前述した第一筒状体９との連結及び連結解除が滑らず良好に行えることになる。
【００３８】
また、第二筒状体10の内方端部12の内孔は第二レンチ被嵌孔６ｂよりも径大に設けられ、第一筒状体９の内方端部11に被嵌するように構成されている。
【００３９】
従って、第二筒状体10の内方端部12を第一筒状体９の内方端部11に被嵌させることで連結することができ、連結した際、第二筒状体10と第一筒状体９の外周面は面一となる。また、この両者の連結（被嵌連結構造）は、内方端部11，12同士が完全に被嵌状態でなくても少しでも被嵌していれば良い構造であるから、ロストワックス法によるパイプ状部２の左右巾方向に寸法誤差があっても確実に対応することができる。
【００４０】
本実施例は上述のように構成したから、径小のレンチ３の回動作業を行う場合、調整体５をレンチ回動用工具４のパイプ状部２に付設する。
【００４１】
具体的には、図４，５に図示したようにパイプ状部２の一方のレンチ被嵌孔２ａに第一筒状体９挿入するとともに、パイプ状部２の他方のレンチ被嵌孔２ｂに第二筒状体10を挿入し、互いに対向する内方端部11，12を連結する。この状態において、第一筒状体９及び第二筒状体10の外方端部７，８は両レンチ被嵌孔２ａ，２ｂの開口周縁部２ａ’，２ｂ’に係止し且つ対向する内方端部11，12は連結されるものであり、よって、調整体５はレンチ回動用工具４のパイプ状部２に抜け止め状態で付設されることになる。
【００４２】
この状態で、第一筒状体９の第一レンチ被嵌孔６ａ若しくは第二筒状体10の第二レンチ被嵌孔６ｂをレンチ３の端部に被嵌して回動作業を行う（図６参照）。
【００４３】
よって、本実施例によれば、第一筒状体９の第一レンチ被嵌孔６ａ及び第二筒状体10の第二レンチ被嵌孔６ｂはパイプ状部２のレンチ被嵌孔２ａ，２ｂよりも径小であり、よって、調整体５をパイプ状部２に付設するだけで、径小のレンチ３であっても該レンチ３との隙間を可及的に低減して良好な回動作業が行えることになる。
【００４４】
また、本実施例は、調整体５の左右に設けた外方端部７，８がパイプ状部２の左右の開口縁部２ａ’，２ｂ’夫々に係止する構造であるから、レンチ被嵌孔２ａ，２ｂの形状に左右されず、調整体５はパイプ状部２に確実に抜け止め状態で付設されることになる。
【００４５】
また、本実施例は、第一筒状体９と第二筒状体10とは、第一筒状体９の内方端部11に対して第二筒状体10の内方端部12が被嵌して連結する構成であるから、パイプ状部２毎に異なる巾に対応して確実に連結し得ることになる。
【００４６】
また、本実施例は、第一筒状体９の内方端部11にスリット11ａを設けて該内方端部11の径は可変可能に設けられているから、第二筒状体10の内方端部12に対して第一筒状体９の内方端部11を圧入状態で嵌入する構造とすることで、この内方端部11，12同士は圧接してより堅固な連結となり、逆に、この内方端部11，12同士の連結を解除する際には、第一筒状体９と第二筒状体10を夫々の外方端部７，８を指でつまみ、逆方向（捻れ方向）に回動させながら引き抜くと、このスリット11ａが閉口することで第一筒状体９の内方端部11は全体的に径縮することになり簡易に連結解除することができる。
【００４７】
また、本実施例は、外方端部７，８の周面には滑り止め凹部７ａ，８ａが設けられているから、この外方端部７，８の周面を指でつまんで回動させたり引っ張ったり押し込んだりしても滑りにくく、よって、第一筒状体９と第二筒状体10の連結及び連結解除が良好に行えることになる。
【００４８】
尚、本発明は、本実施例に限られるものではなく、各構成要件の具体的構成は適宜設計し得るものである。
【符号の説明】
【００４９】
１  握持棒体
２  パイプ状部
２ａ  レンチ被嵌孔
２ａ’  開口縁部
２ｂ  レンチ被嵌孔
２ａ’  開口縁部
３  レンチ
４  レンチ回動用工具
６ａ  第一レンチ被嵌孔
６ｂ  第二レンチ被嵌孔
７  外方端部
７ａ  滑り止め凹部
８  外方端部
８ａ  滑り止め凹部
９  第一筒状体
10  第二筒状体
11  内方端部
11ａ  スリット
12  内方端部
【図１】
2014213438.tif 000003
【図２】
2014213438.tif 000004
【図３】
2014213438.tif 000005
【図４】
2014213438.tif 000006
【図５】
2014213438.tif 000007
【図６】
2014213438.tif 000008